(57)【特許請求の範囲】
【請求項１】
ユーザーが携帯可能であり且つ制御対象に設けられた制御装置の通信範囲内において該制御装置に対して制御信号を送信可能な電子キーと、ユーザーが携帯可能であり且つ前記電子キーと通信可能な携帯通信機器と、を含む電子キーの紛失記憶システムであって、
前記電子キーは、
前記携帯通信機器から送信される要求信号に応答して、前記携帯通信機器に対して応答信号を返送する電子キー側通信手段を備え、
前記携帯通信機器は、
自身の周辺の所定範囲において、所定時間毎に要求信号を送信するとともに、要求信号に応答して前記電子キーから送信された応答信号を受信する通信機器側通信手段と、
前記通信機器側通信手段にて応答信号を受信できたか否かに基づいて、前記電子キーが紛失したか否かを判定する判定手段と、
前記判定手段にて前記電子キーが紛失したと判定された場合、前記電子キーが紛失したと判定された時点での自身の位置及び日時の少なくとも一方を含む紛失履歴情報を記憶する記憶手段と、
前記紛失履歴情報をユーザーに通知する紛失履歴通知手段と、
を備え、
前記通信機器側通信手段は、前記判定手段にて前記電子キーが紛失したと判定された場合であっても、前記要求信号を送信することを特徴とする電子キーの紛失記憶システム。
【請求項２】
前記判定手段は、前記通信機器側通信手段にて応答信号を連続で複数回受信できなかった場合に、前記電子キーが紛失したと判定することを特徴とする請求項１に記載の電子キーの紛失記憶システム。
【請求項３】
前記通信機器側通信手段は、前記通信機器側通信手段にて応答信号を受信できなかった場合、所定時間毎に送信していた要求信号の送信間隔を短くすることを特徴とする請求項２に記載の電子キーの紛失記憶システム。
【請求項４】
前記通信機器側通信手段は、前記判定手段が前記電子キーが紛失したと判定した場合、短くしていた要求信号の送信間隔を、前記応答信号を受信できていたときの送信間隔に戻すことを特徴とする請求項３に記載の電子キーの紛失記憶システム。
【請求項５】
前記電子キーは、電池から電源供給されて動作するものであって、
前記電池の残量を計測する残量計測手段を備え、
前記電子キー側通信手段は、応答信号とともに、前記残量計測手段の計測結果である電池残量情報を送信するものであり、
前記携帯通信機器は、前記電池残量情報をユーザーに通知する電池残量通知手段を備えることを特徴とする請求項１乃至４のいずれか一項に記載の電子キーの紛失記憶システム。
【請求項６】
前記携帯通信機器は、
前記電子キーまでの距離を計測する距離計測手段と、
前記距離計測手段の計測結果である距離情報をユーザーに通知する距離通知手段と、
を備えることを特徴とする請求項１乃至５のいずれか一項に記載の電子キーの紛失記憶システム。
【発明の詳細な説明】
【技術分野】
【０００１】
本発明は、電子キーの紛失記憶システムに関するものである。
【背景技術】
【０００２】
従来、移動体（制御対象）に設けられた制御装置とユーザーが携帯している電子キーとの無線通信によって移動体のドアの施解錠（施錠及び解錠）やエンジン始動制御（許可及び禁止）などを行う電子キーシステムがある。なお、この電子キーシステムは、移動体のドアの施解錠及びエンジン始動許可に限らず、建屋（制御対象）のドアの施錠及び解錠などに適用することも考えられる。
【０００３】
このような電子キーシステムの一例として、特許文献１に開示された乗物用電子キー装置がある。乗物用電子キー装置は、紛失した電子キーを容易に捜すことができるようにするものであり、乗物（制御対象）に設けられた制御装置（車載機）と、乗物のユーザーが保有する電子キー（携帯機）とを備える。
【０００４】
制御装置は、乗物の走行距離を記憶する距離記憶手段と、電子キーとの間で通信が行われなくなった場合に、電子キーが存在しなくなったことを警報報知するための警報手段とを含む。そして、制御装置は、乗物の走行中に、所定距離を走行する毎に電子キーとの間で通信を行い、電子キーとの通信毎の時点での乗物の走行距離を距離記憶手段にて記憶する。また、電子キーからの送信信号が途絶えたことを検出した場合に、警報手段を駆動して、送信信号が途絶える直前に距離記憶手段にて記憶された前回の走行距離と、送信信号が途絶えた時点の走行距離との間の未検出領域を警告報知する。
【０００５】
また、制御装置は、経過時間に対応した時刻を記憶する時刻記憶手段と、携帯機との間で通信が行われなくなった場合に、携帯機が存在しなくなったことを警告報知するための警報手段とを含む。そして、制御装置は、乗物の停車中に、所定時間の経過毎に電子キーとの間で通信を行い、電子キーとの通信毎の時刻を時刻記憶手段にて記憶する。また、電子キーからの送信信号が途絶えたことを検出した場合に、警報手段を駆動して、送信信号が途絶える直前に時刻記憶手段に記憶された前回の時刻と、送信信号が途絶えた時点の時刻との間の未検出期間を警告報知する。
【先行技術文献】
【特許文献】
【０００６】
【特許文献１】特開第４１１０１６７号明細書
【発明の概要】
【発明が解決しようとする課題】
【０００７】
しかしながら、乗物用電子キー装置は、乗物（制御対象）に設けられた制御装置と電子キーとの通信が途絶えた距離範囲又は期間を警報報知するものに過ぎない。よって、ユーザーが制御対象から離れた場所（制御装置の通信範囲外）で電子キーを紛失してしまった場合には、電子キーを紛失した場所を絞り込むことができないという問題がある。
【０００８】
本発明は、上記問題点に鑑みなされたものであり、制御対象に設けられた制御装置の通信範囲外で電子キーを紛失した場合であっても、電子キーの場所を絞り込みやすくすることができる電子キーの紛失記憶システムを提供することを目的とする。
【課題を解決するための手段】
【０００９】
上記目的を達成するために請求項１に記載の紛失記憶システムは、
ユーザーが携帯可能であり且つ制御対象に設けられた制御装置の通信範囲内において該制御装置に対して制御信号を送信可能な電子キーと、ユーザーが携帯可能であり且つ電子キーと通信可能な携帯通信機器と、を含む電子キーの紛失記憶システムであって、
前記電子キーは、
前記携帯通信機器から送信される要求信号に応答して、前記携帯通信機器に対して応答信号を返送する電子キー側通信手段を備え、
前記携帯通信機器は、
自身の周辺の所定範囲において、所定時間毎に要求信号を送信するとともに、要求信号に応答して前記電子キーから送信された応答信号を受信する通信機器側通信手段と、
前記通信機器側通信手段にて応答信号を受信できたか否かに基づいて、前記電子キーが紛失したか否かを判定する判定手段と、
前記判定手段にて前記電子キーが紛失したと判定された場合、前記電子キーが紛失したと判定された時点での自身の位置及び日時の少なくとも一方を含む紛失履歴情報を記憶する記憶手段と、
前記紛失履歴情報をユーザーに通知する紛失履歴通知手段と、
を備え、
前記通信機器側通信手段は、前記判定手段にて前記電子キーが紛失したと判定された場合であっても、前記要求信号を送信することを特徴とする。
【００１０】
携帯通信機器（例えば、携帯電話機、スマートフォン、ＰＤＡ（Personal Digital Assistant）など）は、ユーザーが携帯可能なものであるため、電子キーとともに、ユーザーによって持ち歩かれることが考えられる。そこで、請求項１に係る発明においては、携帯通信機器は、自身の周辺の所定範囲において、電子キーに対して所定時間毎に要求信号を送信するとともに、電子キーからの応答信号を受信できたか否かによって、ユーザーが、電子キーを紛失したか否かを判定する。
【００１１】
また、携帯通信機器は、電子キーが紛失したと判定された時点での自身の位置及び日時の少なくとも一方を含む紛失履歴情報を記憶するので、制御装置の通信範囲外であっても、紛失履歴情報を記憶しておくことができる。そして、携帯通信機器は、このように記憶した紛失履歴情報をユーザーに通知するので、制御装置の通信範囲外で電子キーを紛失した場合であっても、電子キーの場所を絞り込むための情報をユーザーに通知することができる。よって、制御装置の通信範囲外で電子キーを紛失した場合であっても、電子キーの場所を絞り込みやすくすることができる。
【００１２】
しかしながら、携帯通信機器及び電子キーの周辺環境などによっては、携帯通信機器の周辺の所定範囲に電子キーがあったとしても、携帯通信機器（通信機器側通信手段）と電子キー（電子キー側通信手段）とが通信できないこともありうる。このような場合、電子キーを紛失していないにもかかわらず、電子キーを紛失したと誤判定することになる。
【００１３】
そこで、請求項２に示すように、判定手段は、通信機器側通信手段にて応答信号を連続で複数回受信できなかった場合に、電子キーが紛失したと判定するようにしてもよい。
【００１４】
このようにすることによって、誤判定を抑制することができる。
【００１５】
また、請求項２に示すようにする際には、請求項３に示すように、通信機器側通信手段は、通信機器側通信手段にて応答信号を受信できなかった場合、所定時間毎に送信していた要求信号の送信間隔を短くするようにしてもよい。
【００１６】
このようにすることによって、誤判定を抑制しつつ、電子キーの紛失を早急に判定することができる。また、このように電子キーの紛失を早急に判定できると、紛失履歴情報（電子キーを紛失した位置や時間）の精度を向上させることができる。また、請求項４に示すように、通信機器側通信手段は、判定手段が電子キーが紛失したと判定した場合、短くしていた要求信号の送信間隔を、応答信号を受信できていたときの送信間隔に戻してもよい。
【００１７】
また、請求項５に示すように、
電子キーは、電池から電源供給されて動作するものであって、
電池の残量を計測する残量計測手段を備え、
電子キー側通信手段は、応答信号とともに、残量計測手段の計測結果である電池残量情報を送信するものであり、
携帯通信機器は、電池残量情報をユーザーに通知する電池残量通知手段を備えるようにしてもよい。
【００１８】
本発明における電子キーは、制御装置及び携帯通信機器と通信を行なうため、制御装置のみと通信を行なう場合よりも通信頻度が高くなる。よって、電子キーにおける消費エネルギー量も増える。そこで、請求項５に示すように、電子キーの電池残量をユーザーに知らせると好ましい。
【００１９】
ところで、ユーザーは、電子キーを紛失して、紛失履歴情報が通知された場合、この紛失履歴情報に基づいて電子キーを捜すことが考えられる。しかしながら、電子キーが目に付く場所にないこともある。
【００２０】
そこで、請求項６に示すように、
携帯通信機器は、
電子キーまでの距離を計測する距離計測手段と、
距離計測手段の計測結果である距離情報をユーザーに通知する距離通知手段と、
を備えるようにしてもよい。
【００２１】
このようにすることによって、ユーザーが紛失した電子キーを捜す際に、電子キーも見つけやすくすることができる。
【図面の簡単な説明】
【００２２】
【図１】本発明の実施形態における電子キーの紛失記憶システムの概略構成を示すブロック図である。
【図２】本発明の実施形態における電子キーの紛失記憶システム（携帯通信機器）の処理動作を示すフローチャートである。
【図３】本発明の実施形態における電子キーの紛失記憶システム（電子キー）の処理動作を示すフローチャートである。
【図４】本発明の実施形態における電子キーの紛失記憶システムの通知例を示すイメージ図であり、（ａ）は紛失履歴情報の通知例を示すものであり、（ｂ）は電池残量情報の通知例を示すものである。
【図５】（ａ），（ｂ）は、本発明の実施形態における電子キーの紛失記憶システムの紛失履歴情報の変形例を示すものである。
【図６】変形例１における電子キーの紛失記憶システム（携帯通信機器）の処理動作を示すフローチャートである。
【図７】変形例２における電子キーの紛失記憶システム（携帯通信機器）の処理動作を示すフローチャートである。
【図８】変形例２における電子キーの紛失記憶システム（電子キー）の処理動作を示すフローチャートである。
【図９】変形例３における電子キーの紛失記憶システム（携帯通信機器）の処理動作を示すフローチャートである。
【発明を実施するための形態】
【００２３】
以下、本発明の実施の形態を図に基づいて説明する。
【００２４】
図１に示すように、本実施形態の電子キーの紛失記憶システムは、ユーザーが携帯可能であり且つ制御対象に設けられた制御装置の通信範囲内において該制御装置に対して制御信号を送信可能な電子キー２０と、ユーザーが携帯可能であり且つ電子キー２０と通信可能な携帯通信機器３０とを備えて構成されている。なお、本実施形態においては、制御対象の一例として車両を採用し、制御対象に設けられた制御装置としての車載機１０が行う所定の制御の一例として車両のドアの施錠及び解錠制御及びエンジン始動許可及び禁止制御を採用して説明する。
【００２５】
車載機１０は、マイコン、記憶装置、通信装置（アンテナ１１を含む）などを備えて構成されている。この車載機１０は、図１に示すように、機能ブロックとして、電波生成部１２、電波送信部１３、電波受信部１４、制御部１５を備えている。また、車載機１０は、ボデーＥＣＵ（Electronic control unit）１１０及びエンジンＥＣＵ１２０に電気的に接続されている。
【００２６】
電子キー２０は、電池（図示省略）から電源供給されて動作するものであり、ＣＰＵや通信装置（アンテナ２１（電子キー側通信手段）を含む）などを備えて構成されている。この電子キー２０は、図１に示すように、機能ブロックとして、電波生成部２２（電子キー側通信手段）、電波送信部２３（電子キー側通信手段）、電波受信部２４（電子キー側通信手段）、電池残量計測部２５を備えている。なお、この電子キー２０は、予め車載機１０に登録されたものである。
【００２７】
電波生成部２２は、後ほど説明する携帯通信機器３０からの要求信号に応じて応答信号を生成する（電子キー側通信手段）。電波送信部２３は、電波生成部２２にて生成された要求信号をアンテナ２１を介して携帯通信機器３０に送信する（電子キー側通信手段）。電波受信部２４は、アンテナ２１を介して要求信号を受信するとともに、受信した応答信号を電波生成部２２に出力する（電子キー側通信手段）。
【００２８】
また、電子キー２０の電池残量計測部２５は、電子キー２０に設けられた電池の残量を計測する（残量計測手段）。そして、電子キー２０は、後述の応答信号とともに、電池残量計測部２５の計測結果である電池残量情報（電子キー２０の電池の残量を示す情報）を送信する。なお、本実施形態においては、応答信号と電池残量情報を含む電波を登録電子キー電波とも称する。
【００２９】
なお、電子キー２０は、車載機１０とも相互通信を行なうものである。よって、電波受信部２４は、車載機１０からのリクエスト信号を受信する。電波生成部２２電波送信部２３は、リクエスト信号に応じてレスポンス信号（制御信号）を生成する。そして、電波送信部２３は、レスポンス信号をアンテナ２１を介して車載機１０に送信する。
【００３０】
つまり、車載機１０と電子キー２０とは、電子キーシステムを構成するものである。車載機１０は、電子キー２０との相互通信を行なうとともに、ボデーＥＣＵ１１０及びエンジンＥＣＵ１２０に制御信号を出力することによって、車両のドアの施錠及び解錠制御及びエンジン始動許可及び禁止制御を行う。
【００３１】
具体的には、車載機１０は、電波生成部１２が制御部１５からの指示に応じてリクエスト信号を生成して、電波送信部１３からアンテナ１１を介してリクエスト信号（電波）を送信する。このとき、車載機１０（電波送信部１３）は、所定時間毎に車両の周辺の所定範囲（例えば０．８〜１．５ｍ程度、制御装置の通信範囲、車両周辺検知エリアとも言い換えることができる）においてリクエスト信号を送信する。
【００３２】
一方、電子キー２０は、車両周辺検知エリアにおいてアンテナ２１を介して電波受信部２４にてリクエスト信号を受信すると、電波生成部２２がリクエスト信号に応答して固有の識別符号を含むレスポンス信号（制御信号）を生成する。そして、電子キー２０は、電波送信部２３からアンテナ２１を介してレスポンス信号（電波）を返送する。
【００３３】
また、車載機１０は、アンテナ１１を介して電波受信部１４にてレスポンス信号を受信すると、制御部１５がレスポンス信号に含まれる識別符号と、予め記憶している登録符号とを照合する。そして、車載機１０の制御部１５は、識別符号と登録符号とが所定の対応関係（例えば一致）を満たすとの照合結果が得られたことを条件として、ボデーＥＣＵ１１０にドアロックの施錠又は解錠を示す制御信号を出力する。
【００３４】
また、車載機１０と電子キー２０とは、車室内において相互通信を行なう。そして、車載機１０の制御部１５は、登録符号と車室内における相互通信で受信したレスポンス信号に含まれる識別符号とが所定の対応関係（例えば一致）を満たすとの照合結果が得られたことを条件として、エンジンＥＣＵ１２０にエンジン始動許可又は禁止を示す制御信号を出力する。
【００３５】
このように、電子キーシステムにおいては、ユーザーは、自身が身につけているカバンや服のポケットの中に電子キー２０を入れておくだけで（すなわち、電子キー２０を手にもって所定の操作を行うことなく）、ドアの施錠及び解錠などを行うことができる。
【００３６】
携帯通信機器３０は、ユーザーが携帯可能であり、且つ、電子キー２０と通信可能なものであり、例えば、携帯電話機、スマートフォン、ＰＤＡなどを採用することができる。この携帯通信機器３０は、マイコン、記憶装置、表示装置（表示画面）、通信装置（アンテナ３１（通信機器側通信手段）を含む）などを備えて構成されている。そして、携帯通信機器３０は、図１に示すように、機能ブロックとして、電波生成部３２、電波送信部３３、電波受信部３４、制御部３５、記憶部３６、紛失履歴情報管理部３７（時間管理部３７１、位置情報管理部３７２）、通知部３８、操作入力部３９を備えている。
【００３７】
携帯通信機器３０と電子キー２０は、携帯通信機器３０から送信される要求信号（電波）に応答して、電子キー２０が登録電子キー電波を携帯通信機器３０に返送する相互通信を行なう。
【００３８】
電波生成部３２は、制御部３５からの指示に応じて要求信号を生成する（通信機器側通信手段）。電波送信部３３は、制御部３５からの指示に応じて電波生成部３２にて生成された要求信号をアンテナ３１を介して携帯通信機器３０の周辺の所定範囲（例えば、０．３〜数ｍ程度、通信機器周辺検知エリアとも言い換えることができる）に送信する（通信機器側通信手段）。電波受信部３４は、アンテナ３１を介して登録電子キー電波（応答信号及び電池残量情報を含む）を受信するとともに、受信した登録電子キー電波を制御部３５に出力する（通信機器側通信手段）。このように、携帯通信機器３０は、電子キー２０と相互通信を行なうために、自身の周辺の所定範囲において、所定時間毎に要求信号を送信するとともに、要求信号に応答して電子キー２０から送信された登録電子キー電波を受信する（通信機器側通信手段）。
【００３９】
制御部３５は、電波受信部３４から出力された登録電子キー電波や操作入力部３９から出力された操作信号などに応じて、例えば、携帯通信機器３０と電子キー２０との通信が途絶えたか否かの判定処理、要求信号の送信指示、紛失履歴情報や電池残量情報の記憶指示、紛失履歴情報や電池残量情報の通知指示などの各種処理を実行する。
【００４０】
記憶部３６は、制御部３５からの指示に応じて、紛失履歴情報や電池残量情報を記憶する（記憶手段）。なお、紛失履歴情報は、制御部３５によって携帯通信機器３０と電子キー２０との通信が途絶えたと判定された時点での、日時及び携帯通信機器３０の位置の少なくとも一方を含む情報である。ここでは、紛失履歴情報として、日時と携帯通信機器３０の位置の両方を含む情報を採用する。なお、記憶部３６には、表示装置（表示画面）に道路地図を表示するための道路地図データなども記憶されている。
【００４１】
紛失履歴情報管理部３７は、ユーザーが電子キー２０を紛失した時点（すなわち、携帯通信機器３０と電子キー２０との通信が途絶えた時点）での情報である紛失履歴情報を管理するものである。この紛失履歴情報管理部３７は、携帯通信機器３０と電子キー２０との通信が途絶えた時点での日時（日付と時刻）を管理する時間管理部３７１と、携帯通信機器３０と電子キー２０との通信が途絶えた時点での携帯通信機器３０の位置を管理する位置情報管理部３７２とを含む。時間管理部３７１は、現在の日時を出力するカレンダーと時計などを含む。一方、位置情報管理部３７２は、携帯通信機器３０の現在位置を検出するＧＰＳ（Global Positioning System）のためのＧＰＳ受信機などを含む。
【００４２】
通知部３８は、制御部３５からの指示に応じて、液晶ディスプレイや有機ＥＬディスプレイなどの表示装置（表示画面）に画像表示することによって、ユーザーに各種情報を通知するものである。通知する各種情報としては、紛失履歴情報、電池残量情報、距離情報などを採用することができる。つまり、携帯通信機器３０は、紛失履歴情報をユーザーに通知したり（紛失履歴通知手段）、電池残量情報をユーザーに通知したり（電池残量通知手段）、距離情報をユーザーに通知したりする（距離通知手段）。なお、本実施形態においては、画像によって各種通知を行なう例を採用するが、音声によって通知するようにしてもよい。
【００４３】
操作入力部３９は、ユーザーによって操作される押しボタンやタッチパネルなどからなるものであり、ユーザー操作に対応した操作信号を制御部３５に出力する。
【００４４】
ここで、図２〜図４を参照しつつ、本実施形態における電子キーの紛失記憶システムの処理動作に関して説明する。なお、ここでは、電子キーの紛失記憶システムの特徴的な部分を重点的に説明する。よって、車載機１０と電子キー２０との相互通信などに関しては、説明を省略する。
【００４５】
まず、図２に基づいて、携帯通信機器３０の処理動作に関して説明する。携帯通信機器３０は、電源がオンとなった時点で図２のフローチャートに示す処理をスタートする。
【００４６】
なお、ユーザーは、意図して電子キー２０を家やオフィスなどに置いていたり、電子キー２０を人に貸したりして、電子キー２０を持ち歩かないこともありうる。このような場合、ユーザーが電子キー２０を紛失する可能性はない。そこで、携帯通信機器３０は、操作入力部３９がユーザーによって操作され、電子キー２０の紛失検知処理の開始を示す操作信号を出力した時点で図２のフローチャートに示す処理をスタート（すなわち、ユーザーからの指示でスタート）するようにしてもよい。
【００４７】
図２のステップＳ１０では、電波（要求信号）を送信する。このとき、携帯通信機器３０の制御部３５は、電波生成部３２及び電波送信部３３に対して電波（要求信号）の送信指示を行う。携帯通信機器３０の電波生成部３２は、制御部３５からの指示に応じて要求信号を生成する（通信機器側通信手段）。そして、携帯通信機器３０の電波送信部３３は、電波生成部３２にて生成された要求信号をアンテナ３１を介して携帯通信機器３０の周辺の所定範囲に送信する（通信機器側通信手段）。
【００４８】
なお、この電波（要求信号）の送信範囲は、ある決まった範囲に固定されていてもよいし、決まった範囲内（例えば、０．３〜数ｍ内）においてユーザーが自由に設定できるようにしてもよい。なお、電波（要求信号）の送信範囲は、電波強度（送信強度）によって変更することができる。
【００４９】
ここで、図３に基づいて、電子キー２０の処理動作に関して説明する。電子キー２０は、電源がオン状態のとき所定時間毎に、図３のフローチャートに示す処理を実行する。
【００５０】
まず、図３のステップＳ３０では、電波を受信したか否かを判定する。このとき、電子キー２０の電波受信部２４は、アンテナ２１を介して要求信号を受信したか否かを判定する。なお、電波受信部２４は、図３の処理をスタートしてから所定時間内に要求信号を受信した場合に要求信号を受信したと判定し、所定時間内に要求信号を受信できなかった場合に要求信号を受信してないと判定する。そして、要求信号を受信したと判定（ＹＥＳ判定）した場合はステップＳ３１へ進み、要求信号を受信してないと判定（ＮＯ判定）した場合は処理を終了（エンド）する。
【００５１】
図３のステップＳ３１では、電池残量を計測する。このとき、電子キー２０の電池残量計測部２５は、電子キー２０の電池残量を計測する（残量計測手段）。なお、電池残量の計測方法に関しては、周知技術であるため説明は省略する。
【００５２】
図３のステップＳ３２では、登録電子キー電波を送信する。このとき、電子キー２０の電波生成部２２は、応答信号と、電池残量計測部２５の計測結果である電子キー２０の電池残量を示す電池残量情報とを含む登録電子キー電波を生成する（電子キー側通信手段）。そして、電子キー２０の電波送信部２３は、電波生成部２２にて生成された登録電子キー電波をアンテナ２１を介して携帯通信機器３０に送信する（電子キー側通信手段）。
【００５３】
ここで、図２のフローチャートに示す、携帯通信機器３０の処理動作の説明に戻る。図２のステップＳ１１では、登録電子キー電波（応答信号及び電池残量情報を含む電波）を受信したか否かを判定する。このとき、携帯通信機器３０の制御部３５は、アンテナ３１を介して電波受信部３４で登録電子キー電波（つまり、応答信号）を受信したか否かを判定する。なお、制御部３５は、要求信号を送信してから所定時間内に登録電子キー電波を受信した場合に登録電子キー電波を受信したと判定し、要求信号を送信してから所定時間内に登録電子キー電波を受信できなかった場合に登録電子キー電波を受信してないと判定する。そして、登録電子キー電波を受信したと判定（ＹＥＳ判定）した場合はステップＳ１２へ進み、登録電子キー電波を受信してないと判定（ＮＯ判定）した場合はステップＳ１６へ進む。
【００５４】
図２のステップＳ１２では、電池残量情報を記憶する。このとき、携帯通信機器３０の制御部３５は、記憶部３６に対して、登録電子キー電波に含まれる電池残量情報の記憶指示を行う。これによって、携帯通信機器３０の記憶部３６は、電子キー２０から送信された電池残量情報を記憶する。
【００５５】
このように記憶部３６に記憶された電池残量情報は、通知部３８によって携帯通信機器３０の表示画面に表示される（電池残量通知手段）。つまり、通知部３８は、制御部３５からの指示に応じて、記憶部３６に記憶された電池残量情報を携帯通信機器３０の表示画面に表示する（電池残量通知手段）。このようにして、携帯通信機器３０は、電子キー２０の電池残量を示す電池残量情報をユーザーに通知する（電池残量通知手段）。
【００５６】
なお、制御部３５は、記憶部３６に電池残量情報を記憶させた時点で、通知部３８に対して電池残量情報の通知指示を行うようにする。つまり、制御部３５は、ステップＳ１１でＹＥＳ判定すると、電子キー２０から受信した電池残量情報の記憶指示を記憶部３６に行うとともに、電池残量情報の通知指示を通知部３８に行う。電池残量情報を表示画面に表示する際には、例えば、図４（ｂ）に示すように、電池残量○○％（ここでは７０％）などのように文字を表示する。
【００５７】
本実施形態における電子キー２０は、車載機１０との相互通信のみならず、携帯通信機器３０とも相互通信を行なう。よって、電子キー２０は、車載機１０のみと通信を行なう場合よりも通信頻度が高くなる。つまり、電子キー２０における消費エネルギー量も増える。そこで、このように、電子キー２０の電池残量をユーザーに知らせると好ましい。
【００５８】
図２のステップＳ１３では、リトライ回数をクリアする。携帯通信機器３０の制御部３５は、記憶部３６又はマイコンのＲＡＭなどに記憶しているリトライ回数をクリアする。このリトライの回数とは、後ほど説明するが、登録電子キー電波が受信できなった場合に、電子キー２０に対して登録電子キー電波を送信させるために、要求信号を送信した回数である。つまり、電子キー２０から登録電子キー電波を受信する処理をリトライした回数である。
【００５９】
ところで、携帯通信機器３０が電子キー２０から登録電子キー電波（応答信号を含む）を受信できた場合（ステップＳ１１でＹＥＳ判定）、ユーザーが電子キー２０を保有しているとみなすことができる。そこで、図２のステップＳ１４では、ユーザーが電子キー２０を保有中である状態を示す情報を記憶する。このとき、携帯通信機器３０の制御部３５は、ユーザーが電子キー２０を保有中である状態を示す情報を、記憶部３６、マイコンのＲＡＭ、レジスタなどに記憶する。このように、携帯通信機器３０は、電子キー２０の状態（ユーザーが保有中、紛失中）を示す情報を記憶しておく。例えば、ユーザーが電子キー２０を保有中であるとみなした場合はフラグ０をセットし、ユーザーが電子キー２０を紛失中であるとみなした場合はフラグ１をセットする。
【００６０】
図２のステップＳ１５では、保有中電波送信待ち処理を実行する。これは、次の電波（要求信号）を送信するタイミングまで、電波（要求信号）の送信を待つ処理である。ここでは、携帯通信機器３０は、電子キー２０がユーザーによって保有されている状態であるため、この状態に対応して設定された待ち時間（保有中待ち時間Ａ）の間、電波（要求信号）の送信を停止する。このとき、携帯通信機器３０の制御部３５は、ステップＳ１４での処理が終了すると、時間の計時を開始する。そして、制御部３５は、ステップＳ１４での処理が終了してからの経過時間が保有中待ち時間Ａに達したと判定した場合に、ステップＳ１０へ戻る。なお、この保有中待ち時間Ａは、携帯通信機器３０の記憶部３６、又はマイコンのＲＯＭやＲＲＰＲＯＭなどに記憶しておくことができる。また、保有中待ち時間Ａは、例えば１秒〜１時間の間で設定することができる。さらに、この保有中待ち時間Ａは、ユーザーが設定可能なようにしてもよい。
【００６１】
このように、携帯通信機器３０は、現在の状態に応じて、次の電波（要求信号）を送信するまでの待ち時間が予め設定されている。その他の状態における待ち時間は、ステップＳ１８、ステップＳ２２で説明する。
【００６２】
一方、ステップＳ１１において登録電子キー情報を受信できなかったと判定（ＮＯ判定）した場合は、ステップＳ１６の判定を行う。図２のステップＳ１６では、リトライ回数がｎ回以上であるか否かを判定する。このとき、携帯通信機器３０の制御部３５は、記憶部３６又はマイコンのＲＡＭなどに記憶しているリトライ回数がｎ回以上であるか否かを判定する（判定手段）。そして、ｎ回以上であると判定した場合は、ユーザーが電子キー２０を紛失したとみなして、ステップＳ１９へ進む（判定手段）。一方、ｎ回以上でないと判定した場合は、ユーザーが電子キー２０を紛失したとみなすことなくステップＳ１７へ進む（判定手段）。なお、ｎは、２以上の自然数である。つまり、本実施形態においては、リトライ回数がｎ回以上で、携帯通信機器３０（通信機器側通信手段）と電子キー２０との通信が途絶えたと判定する（換言すると、ユーザーが電子キー２０を紛失したとみなす（判定する））。
【００６３】
図２のステップＳ１７では、リトライ回数をインクリメントする。このとき、携帯通信機器３０は、リトライ回数を記憶部３６又はマイコンのＲＡＭなどに記憶しておく。
【００６４】
このようにリトライ回数を記憶しておくのは、電子キー２０からの登録電子キー電波がｎ回受信できなかった場合に、ユーザーが電子キー２０を紛失したとみなす（判定する）ためである。携帯通信機器３０及び電子キー２０の周辺環境などによっては、携帯通信機器３０の周辺の所定範囲に電子キー２０があったとしても、携帯通信機器３０と電子キー２０とが通信できないこともありうる。このような場合、ユーザーが電子キー２０を紛失していないにもかかわらず、電子キー２０を紛失したと誤判定することになる。
【００６５】
そこで、このように、携帯通信機器３０（通信機器側通信手段）が要求信号に対する電子キー２０からの登録電子キー電波（応答信号を含む）を連続で複数回受信できなかった場合に、携帯通信機器３０（通信機器側通信手段）と電子キー２０との通信が途絶えたと判定する。つまり、ユーザーが電子キー２０を紛失したとみなす。このようにすることによって、誤判定を抑制することができる。
【００６６】
図２のステップＳ１８では、リトライ時電波送信待ち処理を実行する。これは、上述のように次の電波（要求信号）を送信するタイミングまで、電波（要求信号）の送信を待つ処理である。ここでは、携帯通信機器３０は、リトライを実行する状態（登録電子キー電波を受信できない回数が１回以上ｎ回未満である状態）であるため、この状態に対応して設定された待ち時間（リトライ時待ち時間Ｂ）の間、電波（要求信号）の送信を停止する。このとき、携帯通信機器３０の制御部３５は、ステップＳ１７での処理が終了すると、時間の計時を開始する。そして、制御部３５は、ステップＳ１７での処理が終了してからの経過時間がリトライ時待ち時間Ｂに達したと判定した場合に、ステップＳ１０へ戻る。なお、このリトライ時待ち時間Ｂは、携帯通信機器３０の記憶部３６、又はマイコンのＲＯＭやＲＲＰＲＯＭなどに記憶しておくことができる。また、リトライ時待ち時間Ｂは、例えば１秒〜１時間の間で設定することができる。さらに、このリトライ時待ち時間Ｂは、ユーザーが設定可能なようにしてもよい。
【００６７】
ただし、携帯通信機器３０（通信機器側通信手段）は、電子キー２０からの登録電子キー電波（応答信号を含む）を受信できない場合、所定時間毎（保有中待ち時間Ａ毎）に送信していた要求信号の送信間隔を短くすると好ましい。つまり、保有中待ち時間Ａ＞リトライ時待ち時間Ｂに設定すると好ましい。
【００６８】
このようにすることによって、誤判定を抑制しつつ、早急に携帯通信機器３０（通信機器側通信手段）と電子キー２０との通信が途絶えたと判定することができる。つまり、誤判定を抑制しつつ、電子キー２０の紛失を早急に判定することができる。また、このように電子キー２０の紛失を早急に判定できると、紛失履歴情報（電子キー２０を紛失した位置と時間）の精度を向上させることができる。
【００６９】
また、ステップＳ１６においてリトライ回数がｎ回以上と判定（ＹＥＳ判定））した場合は、ステップＳ１９の判定を行う。図２のステップＳ１９では、紛失中であるか否かを判定する。つまり、ユーザーが電子キー２０を紛失している状態であるか否かを判定する。換言すると、携帯通信機器３０は、電子キー２０が紛失状態であることを記憶しているか否かを判定する。このとき、携帯通信機器３０の制御部３５は、例えば、フラグ０がセットされているか、フラグ１がセットされているかによって、ユーザーが電子キー２０を紛失している状態であるか否かを判定する。なお、ユーザーが電子キー２０を紛失している状態であることを示す情報（例えばフラグ１）は、後ほど説明するステップＳ２１で記憶されるものである。さらに、この情報は、リトライ回数がｎ回になった場合のみ（すなわち、電子キー２０を紛失中であると判定した初回のみ）記憶されるものである。
【００７０】
そして、携帯通信機器３０の制御部３５は、ユーザーが電子キー２０を紛失している状態（紛失中）が記憶されてないと判定した場合はステップＳ２０へ進み、ユーザーが電子キー２０を紛失している状態（紛失中）が既に記憶されていると判定した場合はステップＳ２２へ進む。つまり、携帯通信機器３０は、ユーザーが電子キー２０を紛失している状態であると既に判定している場合はステップＳ２２に進むことになり、ユーザーが電子キー２０を紛失している状態であると初めて判定した場合はステップＳ２０に進むことになる。
【００７１】
このように、ユーザーが電子キー２０を紛失している状態であるか否かを判定するのは、リトライ回数がｎ回になった場合のみ（すなわち、電子キー２０を紛失中であると判定した初回のみ）、紛失履歴情報を記憶するためである。
【００７２】
図２のステップＳ２０では、紛失履歴情報を記憶する。このとき、携帯通信機器３０の制御部３５は、時間管理部３７１から現在の日時を取得するとともに、位置情報管理部３７２から携帯通信機器３０の現在位置を取得する。そして、制御部３５は、取得した日時及び現在位置を含む紛失履歴情報の記憶指示を記憶部３６に行う。これによって、携帯通信機器３０の記憶部３６は紛失履歴情報を記憶する。なお、ステップＳ２０が実行されるのは、リトライ回数がｎ回になった場合のみ（すなわち、電子キー２０を紛失中であると判定した初回のみ）である。よって、紛失履歴情報は、リトライ回数がｎ回になった場合のみ（すなわち、電子キー２０を紛失中であると判定した初回のみ）記憶されることになる。
【００７３】
また、このように記憶部３６に記憶された紛失履歴情報は、通知部３８によって携帯通信機器３０の表示画面に表示される（紛失履歴通知手段）。つまり、通知部３８は、制御部３５からの指示に応じて、記憶部３６に記憶された紛失履歴情報を携帯通信機器３０の表示画面に表示する（紛失履歴通知手段）。
【００７４】
つまり、制御部３５は、ステップＳ１９でＮＯ判定すると、時間管理部３７１から現在の日時を取得するとともに、位置情報管理部３７２から携帯通信機器３０の現在位置を取得する。そして、制御部３５は、取得した日時及び現在位置を含む紛失履歴情報の記憶指示を記憶部３６に行うとともに、紛失履歴情報の通知指示を通知部３８に行う（紛失履歴通知手段）。
【００７５】
紛失履歴情報を表示画面に表示する際には、例えば、図４（ａ）に示すように、道路地図上に電子キーの位置を示すマーク（ここでは星マーク）を表示するとともに、電子キー２０を紛失した位置及び日時を示す文字を表示する。さらに、電子キー２０を紛失した旨を表示するようにしてもよい。
【００７６】
また、近年、携帯電話機やスマートフォンのなかには、現在位置から目的地までの経路を案内するナビゲート機能が搭載されたものがある。そこで、携帯通信機器３０にナビゲート機能を搭載して、現在位置から目的地（電子キー２０の位置）までの経路案内を行うようにしてもよい。
【００７７】
なお、紛失履歴情報の表示例は、これに限定されるものではない。例えば、図４（ａ）において、道路地図や電子キーの位置を示すマーク（ここでは星マーク）を表示することなく、電子キー２０を紛失した位置及び日時を示す文字のみを表示してもよい。逆に、図４（ａ）において、電子キー２０を紛失した位置及び日時を示す文字を表示することなく、道路地図上に電子キーの位置を示すマーク（ここでは星マーク）のみを表示してもよい。
【００７８】
また、紛失履歴情報としては、ユーザーが電子キー２０を紛失した時点（すなわち、携帯通信機器３０と電子キー２０との通信が途絶えた時点）での日時のみを含む情報を採用することもできる。このような場合は、紛失履歴情報を表示画面に表示する際には、図５（ａ）に示すように、電子キー２０を紛失した日時を示す文字のみを表示する。なお、このときも、電子キー２０を紛失した旨を表示するようにしてもよい。
【００７９】
また、紛失履歴情報としては、ユーザーが電子キー２０を紛失した時点（すなわち、携帯通信機器３０と電子キー２０との通信が途絶えた時点）での位置のみを含む情報を採用することもできる。このような場合は、紛失履歴情報を表示画面に表示する際には、図５（ｂ）に示すように、電子キー２０を紛失した位置を示す文字のみを表示する。なお、このときも、電子キー２０を紛失した旨を表示するようにしてもよい。
【００８０】
なお、ここでは、携帯通信機器３０は、ステップＳ１９でＮＯ判定になると、紛失履歴情報を表示画面に表示する例を採用したが、本発明はこれに限定されるものではない。つまり、携帯通信機器３０は、自動的に紛失履歴情報を表示画面に表示する例に限定されるものではない。例えば、携帯通信機器３０は、操作入力部３９がユーザーによって操作され、紛失履歴情報の通知を示す操作信号が出力されると、紛失履歴情報を表示画面に表示するようにしてもよい。
【００８１】
上述のように、携帯通信機器３０が電子キー２０から登録電子キー電波（応答信号を含む）をｎ回以上受信できなかった場合（ステップＳ１６でＹＥＳ判定）、ユーザーが電子キー２０を紛失中であるとみなす。そこで、図２のステップＳ２１では、ユーザーが電子キー２０を紛失中であること（状態）を示す情報を記憶する。このとき、携帯通信機器３０の制御部３５は、ユーザーが電子キー２０を紛失中である状態を示す情報を、記憶部３６、マイコンのＲＡＭ、レジスタなどに記憶する。上述のように、例えばフラグ１をセットする。これまで説明したように、携帯通信機器３０の制御部３５は、ユーザーが電子キー２０を紛失している状態であると初めて判定した場合に、電子キー２０を紛失中であることを示す情報を記憶する。
【００８２】
なお、ステップＳ１９において紛失中と判定（ＹＥＳ判定）した場合は、ステップＳ２２の処理を行う。図２のステップＳ２２では、紛失中電波送信待ち処理を実行する。これは、次の電波（要求信号）を送信するタイミングまで、電波（要求信号）の送信を待つ処理である。ここでは、携帯通信機器３０は、ユーザーが電子キー２０を紛失している状態であるため、この状態に対応して設定された待ち時間（紛失中待ち時間Ｃ）の間、電波（要求信号）の送信を停止する。このとき、携帯通信機器３０の制御部３５は、ステップＳ１９での判定が終了すると、時間の計時を開始する。そして、制御部３５は、ステップＳ１９での処理が終了してからの経過時間が紛失中待ち時間Ｃに達したと判定した場合に、ステップＳ１０へ戻る。なお、この紛失中待ち時間Ｃは、携帯通信機器３０の記憶部３６、又はマイコンのＲＯＭやＲＲＰＲＯＭなどに記憶しておくことができる。また、紛失中待ち時間Ｃは、例えば１秒〜１時間の間で設定することができる。さらに、この紛失中待ち時間Ｃは、ユーザーが設定可能なようにしてもよい。なお、保有中待ち時間Ａ＝紛失中待ち時間Ｃとしてもよい。
【００８３】
上述のように、携帯電話機、スマートフォン、ＰＤＡなどの携帯通信機器３０は、ユーザーが携帯可能なものであるため、電子キー２０とともに、ユーザーによって持ち歩かれることが考えられる。そこで、携帯通信機器３０は、自身の周辺の所定範囲において、電子キー２０に対して所定時間毎に要求信号を送信するとともに、電子キー２０からの登録電子キー電波（応答信号を含む）を受信できたか否かによって、電子キー２０との通信が途絶えたか否かを判定する。つまり、このようにして、ユーザーが、電子キー２０を紛失したか否かを判定する。
【００８４】
また、携帯通信機器３０は、電子キー２０との通信が途絶えた時点での自身の位置や日時を含む紛失履歴情報を記憶するので、車載機１０の通信範囲（リクエスト信号の送信範囲）外であっても、紛失履歴情報を記憶しておくことができる。そして、携帯通信機器３０は、このように記憶した紛失履歴情報をユーザーに通知するので、車載機１０の通信範囲外で電子キー２０を紛失した場合であっても、電子キー２０の場所を絞り込むための情報をユーザーに通知することができる。よって、車載機１０の通信範囲外で電子キー２０を紛失した場合であっても、電子キー２０の場所を絞り込みやすくすることができる。
【００８５】
なお、本実施形態においては、リトライ回数がｎ回になった場合のみ（すなわち、電子キー２０を紛失中であると判定した初回のみ）、紛失履歴情報を記憶する例を採用したが、本発明はこれに限定されるものではない。例えば、リトライ回数がｎ回になった以降であっても、リトライ回数がｎ回以上であれば、登録電子キー電波を受信できなかった場合は紛失履歴情報を記憶するようにしてもよい。
【００８６】
以上、本発明の好ましい実施形態について説明したが、本発明は上述した実施形態に何ら制限されることはなく、本発明の趣旨を逸脱しない範囲において、種々の変形が可能である。
【００８７】
（変形例１）
上述の実施形態においては、リトライ回数がｎ回になった場合に、紛失履歴情報を記憶する例を採用したが、本発明はこれに限定されるものではない。本発明の電子キーの紛失記憶システムは、携帯通信機器３０が一度でも電子キー２０から登録電子キー電波を受信できなかったら紛失履歴情報を記憶するようにしてもよい（変形例１）。つまり、本発明の電子キーの紛失記憶システムは、携帯通信機器３０が一度でも電子キー２０から登録電子キー電波を受信できなかったら、ユーザーが電子キー２０を紛失したとみなすようにしてもよい。
【００８８】
ここで、図６に基づいて、変形例１における電子キーの紛失記憶システムの携帯通信機器３０の処理動作に関して説明する。なお、ここでは、上述の実施形態と異なる点に関して説明する。つまり、変形例１における電子キーの紛失記憶システムの構成は、上述の実施形態によるものと同様であるため説明は省略する。また、電子キー２０の処理動作に関しては、上述の実施形態と同様であるため説明は省略する。
【００８９】
図６のステップＳ４０では、携帯通信機器３０は、図２のステップＳ１０と同様に電波を送信する。また、図６のステップＳ４１では、携帯通信機器３０は、携帯通信機器３０は、図２のステップＳ１１と同様に登録電子キー電波を受信できたか否かを判定する。そして、受信できたと判定した場合はユーザーが電子キー２０を紛失したとみなすことなくステップＳ４２へ進み、受信できなかったと判定した場合はユーザーが電子キー２０を紛失したとみなしてステップＳ４４へ進む（判定手段）。
【００９０】
図６のステップＳ４２では、携帯通信機器３０は、図２のステップＳ１２と同様に電池残量情報を記憶する。このように記憶部３６に記憶された電池残量情報は、上述の実施形態と同様に、通知部３８によって携帯通信機器３０の表示画面に表示される（電池残量通知手段）。そして、図６のステップＳ４３では、携帯通信機器３０は、図２のステップＳ１５と同様に保有中電波送信待ち処理を実行する。
【００９１】
一方、図６のステップＳ４４では、携帯通信機器３０は、図２のステップＳ２０と同様に紛失履歴情報を記憶する。このように記憶部３６に記憶された紛失履歴情報は、上述の実施形態と同様に、通知部３８によって携帯通信機器３０の表示画面に表示される（紛失履歴通知手段）。そして、図６のステップＳ４５では、携帯通信機器３０は、図２のステップＳ２２と同様に紛失中電波送信待ち処理を実行する。
【００９２】
このように、変形例１における携帯通信機器３０は、リトライ回数、状態を示す情報（保有中又は紛失中）を記憶しておく必要がない。よって、リトライ回数のクリアや、リトライ回数がｎ回以上であるか否かの判定や、紛失中であるか否かの判定などを行う必要もない。
【００９３】
変形例１における携帯通信機器３０は、自身の周辺の所定範囲において、電子キー２０に対して所定時間毎に要求信号を送信するとともに、電子キー２０からの登録電子キー電波（応答信号を含む）を受信できたか否かによって、電子キー２０との通信が途絶えたか否かを判定する。つまり、このようにして、ユーザーが、電子キー２０を紛失したか否かを判定する。
【００９４】
また、携帯通信機器３０は、電子キー２０との通信が途絶えた時点での自身の位置や日時を含む紛失履歴情報を記憶するので、車載機１０の通信範囲（リクエスト信号の送信範囲）外であっても、紛失履歴情報を記憶しておくことができる。そして、携帯通信機器３０は、このように記憶した紛失履歴情報をユーザーに通知するので、車載機１０の通信範囲外で電子キー２０を紛失した場合であっても、電子キー２０の場所を絞り込むための情報をユーザーに通知することができる。よって、車載機１０の通信範囲外で電子キー２０を紛失した場合であっても、電子キー２０の場所を絞り込みやすくすることができる。このように、変形例１における電子キーの紛失記憶システムであっても、本発明の目的は達成することができる。
【００９５】
（変形例２）
上述の変形例１においては、電子キー２０の電池残量情報をユーザーに通知する例を採用したが、本発明はこれに限定されるものではない。本発明の電子キーの紛失記憶システムにおける携帯通信機器３０は、電池残量情報をユーザーに通知しなくてもよい（変形例２）。
【００９６】
ここで、図７に基づいて、変形例２における電子キーの紛失記憶システムの携帯通信機器３０の処理動作に関して説明する。なお、ここでは、上述の実施形態と異なる点に関して説明する。つまり、変形例２における電子キーの紛失記憶システムの構成は、上述の実施形態によるものと略同様であるため図示は省略する。異なる構成は、変形例２における電子キー２０が電池残量計測部２５を備えていない点である。
【００９７】
図７のステップＳ５０では、携帯通信機器３０は、図２のステップＳ１０と同様に電波を送信する。
【００９８】
ここで、図８に基づいて、変形例２における電子キー２０の処理動作に関して説明する。電子キー２０は、電源がオン状態のとき所定時間毎に、図８のフローチャートに示す処理を実行する。
【００９９】
まず、図８のステップＳ６０では、図３のステップＳ３０と同様に電波を受信したか否かを判定する。そして、要求信号を受信したと判定（ＹＥＳ判定）した場合はステップＳ６１へ進み、要求信号を受信してないと判定（ＮＯ判定）した場合は処理を終了（エンド）する。次に、図８のステップＳ６１では、図３のステップＳ３２と同様に登録電子キー電波を送信する。なお、ここでは、電子キー２０は、電池残量を計測しない。よって、電子キー２０の電波生成部２２は、応答信号を含む（電池残量情報を含まない）登録電子キー電波を生成する（電子キー側通信手段）。そして、電子キー２０の電波送信部２３は、電波生成部２２にて生成された登録電子キー電波をアンテナ２１を介して携帯通信機器３０に送信する（電子キー側通信手段）。
【０１００】
ここで、図７のフローチャートに示す、携帯通信機器３０の処理動作の説明に戻る。図７のステップＳ５１では、携帯通信機器３０は、携帯通信機器３０は、図２のステップＳ１１と同様に登録電子キー電波を受信できたか否かを判定する。そして、受信できたと判定した場合はユーザーが電子キー２０を紛失したとみなすことなくステップＳ５２へ進み、受信できなかったと判定した場合はユーザーが電子キー２０を紛失したとみなしてステップＳ５３へ進む（判定手段）。
【０１０１】
図７のステップＳ５２では、携帯通信機器３０は、図２のステップＳ１５と同様に保有中電波送信待ち処理を実行する。このように、変形例２における携帯通信機器３０は、電池残量情報を記憶しない。
【０１０２】
一方、図７のステップＳ５３では、携帯通信機器３０は、図２のステップＳ２０と同様に紛失履歴情報を記憶する。このように記憶部３６に記憶された紛失履歴情報は、上述の実施形態と同様に、通知部３８によって携帯通信機器３０の表示画面に表示される（紛失履歴通知手段）。そして、図７のステップＳ５４では、携帯通信機器３０は、図２のステップＳ２２と同様に紛失中電波送信待ち処理を実行する。
【０１０３】
このように、携帯通信機器３０は、電池残量情報を記憶しておく必要がない。また、電子キー２０は、電池残量を計測する必要がない。
【０１０４】
変形例２における携帯通信機器３０は、自身の周辺の所定範囲において、電子キー２０に対して所定時間毎に要求信号を送信するとともに、電子キー２０からの登録電子キー電波（応答信号）を受信できたか否かによって、電子キー２０との通信が途絶えたか否かを判定する。つまり、このようにして、ユーザーが、電子キー２０を紛失したか否かを判定する。
【０１０５】
また、携帯通信機器３０は、電子キー２０との通信が途絶えた時点での自身の位置や日時を含む紛失履歴情報を記憶するので、車載機１０の通信範囲（リクエスト信号の送信範囲）外であっても、紛失履歴情報を記憶しておくことができる。そして、携帯通信機器３０は、このように記憶した紛失履歴情報をユーザーに通知するので、車載機１０の通信範囲外で電子キー２０を紛失した場合であっても、電子キー２０の場所を絞り込むための情報をユーザーに通知することができる。よって、車載機１０の通信範囲外で電子キー２０を紛失した場合であっても、電子キー２０の場所を絞り込みやすくすることができる。このように、変形例２における電子キーの紛失記憶システムであっても、本発明の目的は達成することができる。
【０１０６】
（変形例３）
ところで、ユーザーは、電子キーを紛失して、紛失履歴情報が通知された場合、この紛失履歴情報に基づいて電子キーを捜すことが考えられる。このとき、ユーザーは、紛失履歴情報に基づいて電子キーの近くまで行くことができる。しかしながら、電子キーが目に付く場所にないこともある。例えば、ユーザーが落とした電子キー２０が草むらなどの物陰にあった場合などは、電子キーが目に付きにくい。
【０１０７】
そこで、変形例３における電子キーの紛失記憶システムは、携帯通信機器３０が電子キー２０までの距離を計測し（距離計測手段）、この計測結果である携帯通信機器３０から電子キー２０までの距離を示す距離情報をユーザーに通知するようにしてもよい（距離通知手段）。
【０１０８】
なお、変形例３における携帯通信機器３０は、電波の送信強度（電波強度）を数段階（例えば１０段階）にかえることで、電波の送信範囲（通信機器周辺検知エリア）を数段階にかえるものである。例えば、携帯通信機器３０は、電波の送信範囲を段階的（例えば１０段階）に広げていく。しかしながら、携帯通信機器３０は、電波の送信範囲を段階的（例えば１０段階）に狭くしてもよい。
【０１０９】
また、携帯通信機器３０の記憶部３６には、電波の送信強度と電波の送信範囲（携帯通信機器３０と電子キー２０との距離）とが関連付けられたマップが記憶されている。そして、携帯通信機器３０は、このマップを用いて電子キー２０までの距離を計測する。つまり、携帯通信機器３０は、電子キー２０からの応答信号を受信すると、このときの送信強度に関連付けられた電波の送信範囲を検索することで、電子キー２０までの距離を計測する。なお、電子キー２０までの距離の計測方法はこれに限定されるものではない。
【０１１０】
ここで、図９に基づいて、変形例３における電子キーの紛失記憶システム（携帯通信機器３０）の処理動作に関して説明する。携帯通信機器３０は、電源がオン状態のとき所定時間毎に、図９のフローチャートに示す処理を実行する。又は、携帯通信機器３０は、紛失履歴情報を記憶しているとき所定時間毎に、図９のフローチャートに示す処理を実行する。又は、携帯通信機器３０は、操作入力部３９がユーザーによって操作され、電子キー２０の紛失探索処理の開始を示す操作信号が出力されたとき所定時間毎に、図９のフローチャートに示す処理を実行する。
【０１１１】
まず、図９のステップＳ７０では、携帯通信機器３０は、図２のステップＳ１０と同様に電波を送信する。また、図９のステップＳ７１では、携帯通信機器３０は、携帯通信機器３０は、図２のステップＳ１１と同様に登録電子キー電波を受信できたか否かを判定する。そして、受信できたと判定した場合はステップＳ７２へ進み、受信できなかったと判定した場合はステップＳ７４へ進む。
【０１１２】
図９のステップＳ７２では、携帯通信機器３０の制御部３５は、電子キー２０までの距離を計測する（距離計測手段）。なお、携帯通信機器３０の制御部３５は、記憶部３６に記憶されているマップから、このときの電波強度に関連付けられた電波の送信範囲を検索することで、電子キー２０までの距離を計測する。
【０１１３】
図９のステップＳ７３では、携帯通信機器３０の制御部３５は、ステップＳ７２で計測した電子キー２０までの距離を通知する（距離通知手段）。このように計測された電子キー２０までの距離は、通知部３８によって携帯通信機器３０の表示画面に表示される（距離通知手段）。つまり、通知部３８は、制御部３５からの指示に応じて、計測された距離を携帯通信機器３０の表示画面に表示する（距離通知手段）。
【０１１４】
一方、ステップＳ７１において登録電子キー情報を受信できなかったと判定（ＮＯ判定）した場合は、ステップＳ７４の判定を行う。図９のステップＳ７４では、送信範囲が最大であるか否かを判定する。携帯通信機器３０の制御部３５は、段階的に広げた電波の送信範囲が予め設定された最大範囲（例えば１０段階目）であるか否かを判定する。そして、送信範囲が最大であると判定した場合はステップＳ７６へ進み、送信範囲が最大でないと判定した場合はステップＳ７５へ進む。
【０１１５】
図９のステップＳ７４では、携帯通信機器３０の制御部３５は、送信範囲を１段階広げてステップＳ７０へ戻る。つまり、携帯通信機器３０の制御部３５は、次回の電波の送信範囲を１段階広げた範囲に設定する。
【０１１６】
図９のステップＳ７６では、携帯通信機器３０の制御部３５は、電子キー２０無しを通知する（距離通知手段）。つまり、現在位置の近く（携帯通信機器３０の電波の送信範囲内）には、電子キー２０がないことをユーザーに通知する。この電子キー２０が無い旨は、通知部３８によって携帯通信機器３０の表示画面に表示される。つまり、通知部３８は、制御部３５からの指示に応じて、電子キー２０が無い旨を携帯通信機器３０の表示画面に表示する（距離通知手段）。
【０１１７】
このようにすることによって、携帯通信機器３０と電子キー２０とのある程度の距離をユーザーに知らせることができる。よって、ユーザーが紛失した電子キー２０を捜す際に、電子キー２０も見つけやすくすることができる。
【０１１８】
なお、変形例３における電子キーの紛失記憶システムは、上述の実施形態及び変形例１，２の少なくとも一つと組み合わせて実施することができる。
【０１１９】
また、上述の実施形態及び変形例１〜３においては、制御対象の一例として車両を採用し、車載機１０（制御装置）が行う所定の制御の一例として車両のドアの施錠及び解錠制御及びエンジン始動許可及び禁止制御を採用したが、本発明はこれに限定されるものではない。例えば、制御対象の一例として建屋を採用し、制御装置が行う所定の制御の一例として建屋のドアの施錠及び解錠制御を採用することもできる。
【符号の説明】
【０１２０】
１０  車載機（制御装置）、１１  アンテナ、１２  電波生成部、１３  電波送信部、１４  電波受信部、１５  制御部、１１０  ボデーＥＣＵ、１２０  エンジンＥＣＵ、２０  電子キー、２１  アンテナ（電子キー側通信手段）、２２  電波生成部（電子キー側通信手段）、２３  電波送信部（電子キー側通信手段）、２４  電波受信部（電子キー側通信手段）、２５  電池残量計測部、３０  携帯通信機器、３１  アンテナ（通信機器側通信手段）、３２  電波生成部（通信機器側通信手段）、３３  電波送信部（通信機器側通信手段）、３４  電波受信部（通信機器側通信手段）、３５  制御部、３６  記憶部（記憶手段）、３７  紛失履歴情報管理部、３７１  時間管理部、３７２  位置情報管理部、３８  通知部（紛失履歴通知手段、電池残量通知手段、距離通知手段）、３９  操作入力部
【図１】
0005834697.tif 000002
【図２】
0005834697.tif 000003
【図３】
0005834697.tif 000004
【図４】
0005834697.tif 000005
【図５】
0005834697.tif 000006
【図６】
0005834697.tif 000007
【図７】
0005834697.tif 000008
【図８】
0005834697.tif 000009
【図９】
0005834697.tif 000010